(57)【要約】 【課題】  屋内外の狭いスペース内において年齢を問わず誰もがレクリエーション感覚で簡単に楽しめる球技を行うことが可能な球技用ゴール装置を提供する。【解決手段】  水平配置の上辺部２１およびこの上辺部２１の左右両端から鉛直下方に延設された左側辺部２２および右側辺部２３を備えて門形状に形成されたゲート枠２と、左側辺部２２および右側辺部２３の各々の下端から後方に延びる左右の支持部材３，４と、上辺部２１の両端箇所または左側辺部２２および右側辺部２３における上端近傍箇所と左右の支持部材３，４の後端近傍箇所との間に架け渡されて後方へ向け下り勾配に傾斜する配置で設けられた柔軟なシート状の捕球部材８とを備えている。【選択図】  図１
0003118597.tif 000002
【実用新案登録請求の範囲】
【請求項１】
水平配置の上辺部およびこの上辺部の左右両端から鉛直下方に延設された左側辺部および右側辺部を備えて門形状に形成されたゲート枠と、
前記左側辺部および右側辺部の各々の下端から後方に延びる左右の支持部材と、
前記上辺部の両端箇所または前記左側辺部および右側辺部における上端近傍箇所と前記左右の支持部材の後端近傍箇所との間に架け渡されて後方へ向け下り勾配に傾斜する配置で設けられた柔軟なシート状の捕球部材とを備えてなることを特徴とする球技用ゴール装置。
【請求項２】
ゲート枠の左右の両側辺部に連結されて左右両側に延びる支持脚部を備えている請求項１に記載の球技用ゴール装置。
【請求項３】
ゲート枠の上辺部および両側辺部の少なくとも一方が、伸縮調整可能に構成されている請求項１または２に記載の球技用ゴール装置。
【考案の詳細な説明】
【技術分野】
【０００１】
本考案は、ボールおよび打球用具と組み合わせることで、屋内外の小さなスペース内で極めて簡単なルールにより老若男女を問わず誰でも楽しむことができる新規な球技を行える球技用ゴール装置に関するものである。
【背景技術】
【０００２】
ゴルフやグランドゴルフは、或る程度の年齢に達した老人でも楽しめる球技として親しまれているが、ゴルフ場は極めて広大であり、グランドゴルフも屋外に比較的広いスペースを必要とする。そこで、従来から、屋内外の狭いスペースであっても、この場所を利用して年齢を問わず誰もがレクリエーション感覚で簡単に楽しめる球技が求められており、このような要望を満たす目的で案出されたものとして、パター式ボールのポール旗式ゴール（特許文献１参照）や新奇総合軟式球具組（特許文献２参照）などがある。
【特許文献１】特開２０００−２０２０７９号公報
【特許文献２】実用新案登録第３０３４５１８号公報
【考案の開示】
【考案が解決しようとする課題】
【０００３】
上記パター式ボールのポール旗式ゴールは、ネット輪に取り付けて円筒状に保持したネットを、地面または床面に対しボールが入り込む隙間を存した高さ配置で支柱に取り付けた構成を有し、周囲からネットに向け転がってきたボールを地面または床面とネットとの間からネット内に入り込ませるようにすることで、ネットに対するボールを転がす方向性を無くして、ゴルフ、ゲートボールまたはグランドゴルフの練習を行えるようにしたものである。しかしながら、このものでは、その構成上、ネットを大きな円筒形状として支柱に支持することが困難であることから、その小さなネット内の下方箇所にボールを入れるのには相当の熟練した技術を必要とするので、上記球技の経験者によるパターの練習用の用途に限られ、誰もが楽しめる球技用として使用できるものではない。
【０００４】
一方、上記新奇総合軟式球具組は、訓練用ネットとラケットとを組み合わせたもので、訓練用ネットは、ほぼスクリーン状の比較的大きなものであって、その中央部に設けられた目標ネットにラケットで打ったボールを入れるようにし、下端部に設けられた小型ネットにラケットで打って転がしたボールを入れるようになっている。したがって、このものも、ゴルフプレーヤの練習用としての用途にしか使用できず、誰もが楽しめる球技に活用できるものではない。
【０００５】
本考案は前記従来の問題点に鑑みてなされたもので、屋内外の狭いスペース内において年齢を問わず誰もがレクリエーション感覚で簡単に楽しめる球技を行うことが可能な球技用ゴール装置を提供することを目的としている。
【課題を解決するための手段】
【０００６】
前記目的を達成するために、請求項１に係る考案の球技用ゴール装置は、水平配置の上辺部およびこの上辺部の左右両端から鉛直下方に延設された左側辺部および右側辺部を備えて門形状に形成されたゲート枠と、前記左側辺部および右側辺部の各々の下端から後方に延びる左右の支持部材と、前記上辺部の両端箇所または前記左側辺部および右側辺部における上端近傍箇所と前記左右の支持部材の後端近傍箇所との間に架け渡されて後方へ向け下り勾配に傾斜する配置で設けられた柔軟なシート状の捕球部材とを備えていることを特徴としている。
【０００７】
請求項２に係る考案は、請求項１の考案の球技用ゴール装置において、ゲート枠の左右の両側辺部に連結されて左右両側に延びる支持脚部を備えている。
【０００８】
請求項３に係る考案は、請求項１または２の考案の球技用ゴール装置において、ゲート枠の上辺部および両側辺部の少なくとも一方が、伸縮調整可能に構成されている。
【考案の効果】
【０００９】
請求項１の考案に係る球技用ゴール装置は、門形状のゲート枠の後方側に後方へ向け下り勾配の配置で柔軟なシート状の捕球部材が配設された構成を有しているので、例えば、ゲート枠よりも小さなソフトなボールを、ベースボール用バットに似たクラブでゲート枠に向けて打つと、それにより転がったボールが、床面上または地面上に何の障害も無く、且つボールがゲート枠の高さよりも径が小さいことからそのままゲート枠内に入り込み、このボールが捕球部材によって転がり力を効果的に吸収されながら音を立てることなく確実に捕球され、このボールを捕球部材の外側からクラブで軽く打つことでゲート枠の外方に取り出すことができる。したがって、狭いスペースであっても、このスペース内に本考案のゴール装置を適当な配置で複数設置して、それらゴール装置の各々のゲート枠内にボールを順次打ち込むゴルフまたはグランドゴルフに似たルールで競うようにすることで、年齢を問わず誰もが楽しめる新規な球技を行うことができる。
【００１０】
請求項２の考案によれば、ゲート枠を左右両側の支持脚部で強固に支持できるので、例えば、屋外の比較的広い場所で球技を行う場合において、ゴール装置から遠く離れた場所からバット調クラブでボールを強く打ってゲート枠内に入れるようにすることも可能となり、この場合には、ホッケー感覚またはサッカー感覚の爽快な球技を楽しむことができる。
【００１１】
請求項３の考案によれば、例えば、使用するボールの大きさなどに対応してゲート枠の高さおよび幅を任意に調節することができるので、ゲート枠を大きくすることにより、高年齢の老人や車椅子の人であっても、一緒にプレーを楽しむことが可能となる。
【考案を実施するための最良の形態】
【００１２】
以下、本考案の最良の実施形態について、図面を参照しながら説明する。図１は本考案の一実施形態に係る球技用ゴール装置１を示す一部分解した斜視図である。このゴール装置１は、構成を大別すると、水平配置の上辺部２１およびこの上辺部２１の左右両端から鉛直下方に延設された左側辺部２２および右側辺部２３を備えて門形状に形成されたゲート枠２と、左側辺部２２および右側辺部２３の各々の下端から後方に延びる左右両側の支持部材３，４と、この左右両側の支持部材３，４の後端を互いに連結する連結部材７と、左側辺部２２および右側辺部２３における上端近傍箇所と左右の支持部材３，４の後端近傍箇所との間に架け渡されて後方へ向け下り勾配に傾斜する配置で設けられた柔軟なシート状の捕球部材８と、ゲート枠２の左右の両側辺部２２，２３に連結されて左右両側に延びる左右の支持脚部９，１０とを備えている。
【００１３】
上記ゲート枠２の上辺部２１の中央部には、ゴール旗１２を立てるための旗保持部１１が外嵌固定されている。また、ゲート枠２の上辺部２１は、直角に湾曲した二つの屈曲パイプ材１３，１４の相対向する開口端に小径の連結パイプ材１７の両端を出入自在に嵌挿して構成されているとともに、ゲート枠２の左側辺部２２および右側辺部２３は、上記屈曲パイプ材１３，１４と他の二つの屈曲パイプ材１８，１９との各々の相対向する開口端に小径の連結パイプ材２０，２４の各両端をそれぞれ出入自在に嵌挿して構成されている。
【００１４】
上記左右の屈曲パイプ材１３，１４には、各々の水平箇所および鉛直箇所にそれぞれ形成されたねじ孔（図示せず）にねじ部材２７，２８が螺合して取り付けられている。これにより、この球技用ゴール装置１の正面図を示す図２に矢印で示すように、ゲート枠２は、ねじ部材２７，２８を緩めることで連結パイプ材１７を両側の屈曲パイプ材１３，１４に出入させて上辺部２１の長さを任意に調節することができるとともに、連結パイプ材２０，２４を屈曲パイプ材１３，１４に出入させて左右の側辺部２２，２３の高さを任意に調節することができ、これらの調節後にねじ部材２７，２８を締結すれば、ゲート枠２を調整した形状に固定できるようになっている。すなわち、ゲート枠２には、上辺部２１の長さおよび左右の両側辺部２２，２３の高さをそれぞれ調整できる伸縮調整機構が設けられている。
【００１５】
図１において、上記左右両側の支持部材３，４は、上記二つの屈曲パイプ材１８，１９と他の直角に湾曲した二つの屈曲パイプ材２９，３０の相対向する開口端に小径の連結パイプ材３１，３２の各々の両端をそれぞれ出入自在に嵌挿して構成されているとともに、連結部材７は、上記二つの屈曲パイプ材２９，３０の相対向する開口端に小径の連結パイプ材３３の両端を出入自在に嵌挿して構成されている。さらに、左右の支持脚部９，１０は、直角に屈曲した二つの脚台パイプ材３４，３７と二つの取付腕パイプ材３８，３９との相対向する開口端に小径の連結パイプ材４０，４１の各々の両端をそれぞれ出入自在に嵌挿して構成されている。上記取付腕パイプ材３８，３９の先端部には、左側辺部２２および右側辺部２３の各々の連結パイプ材２０，２４に対し弾性変形しながら着脱自在に握持して回動自在に取着される取付腕４２，４３が一体形成されている。また、脚台パイプ材３４，３７の下端には、複数の固定孔４４ａ，４７ａが形成された台盤４４，４７が一体形成されている。
【００１６】
上記捕球部材８は、大径パイプ材４８ａ，４９ａに小径パイプ材４８ｂ，４９ｂが挿入された２本の伸縮支持桟４８，４９にネット５０の両端が取着された構成を有し、図１に矢印で示すように、前側の支持桟４８の両端に一体形成された取付フック４８ｃをゲート枠２の屈曲パイプ材１３、１４に取着された取付ピン５１に掛け止めするとともに、後ろ側の支持桟４９の両端に一体形成された取付リング４８ｃを左右両側の支持部材３，４の屈曲パイプ材２９，３０にそれぞれ設けられた取付ねじ５８に嵌め入れたのち、ナット５９を取付ねじ５８に螺合することにより、図２のＡ−Ａ線に沿った断面図である図３に明示するように、後方へ向け下り勾配に傾斜した配置で取り付けられる。
【００１７】
上記球技用ゴール装置１は、例えば、図４に示すように、直径が９ｃｍ程度の発泡ウレタン製のソフトなラージボール５２と、下端部に平坦な打点面５３ａを有するベースボール用バットに似たクラブ５３とを組み合わせることにより、ゴルフとほぼ同様のルールで楽しめる新規な球技（以後、この球技を仮にシュートゴルフと呼称する）を行うことができる。上記クラブ５３は、例えば、木製または合竹製のシャフト５３Ａの下端にエラストマー製のヘッド５３Ｂを連接した構成することが好ましい。さらに、図５の球技説明図に示すように、上記シュートゴルフを行うに際しては、人工芝からなるスタートマット５４と、樹脂製の境界ポイントマーカー５７との簡単な部材を用意して、図５に示すような配置に設置することにより、一層好適なものとなる。この例では、テニスコート程度の広さのスペースに５つの球技用ゴール装置１を配置して、５ｍ程度のショートホールと、１０ｍ程度のミドルホールと、３ｍ程度のミニホールと、１５ｍ程度のロングホールと、２０ｍ程度のホームランホールとの５つのホールを設定した場合を例示してあり、各ホールの境界を境界ポイントマーカー５７で明示するようにしている。
【００１８】
そして、このシュートゴルフは、上記５ホールをＩＮとＯＵＴの２回巡回することにより、１０ホール競技として行え、各ホールをＰＡＲ３とすることにより、合計ＰＡＲ３０が設定できる。ゲート枠２下方の床面上または地面上に設定枠などの障害となるような設定物が全くなく、且つボール５２の径がゲート枠２の幅および高さに対し十分に小さいので、ゲート枠２に向けて転がったボール５２は確実にゲート枠２内に転がり込む。クラブ５３で打ったラージボール５２がゲート枠２内に転がり込んだときには、図３に示すように、僅かに垂れ気味に張られた捕球部材８のネット５０を２点鎖線で示すようにラージボール５２が押し上げるようにして転がり力が効果的に吸収されることにより、ラージボール５２が音を立てることなくソフトに捕球される。このネット５０に捕球されたラージボール５２は、２点鎖線矢印で示すように、ネット５０の外側からクラブ５３で打つだけで、ゲート枠２の前方に転がり出るので、ネット５０内のラージボール５２を一々手で取り出すような煩雑な作業を行うことなく能率的に競技を進めていくことができる。
【００１９】
上記シュートゴルフを行うに際しては、以下のようなルールを設ければ、一層雅趣に富んだ楽しい競技となって、多いに盛り上がるものと思われる。すなわち、打球が境界ポイントマーカー５７で示した境界ラインを越えた場合には、そのラージボール５２の通過ラインに戻って次のパットを行うようにする。また、ホームランホールに限り打球がゴールラインを越えた場合は、ラージボール５２の通過ライン点をスタートとして次のパットができる特典を与えるようにする。ゴールラインは、ラージボール５２がゲージ枠２内に入って捕球部材８で捕球されたことにより確定する。ラージボール５２がゲージ枠２の僅かに手前で止まったような場合には、先にゴールインを済ませるようにする。また、かなりの高齢者、身体障害者、女性およびジュニアにはハンディを設ける。さらに、使用するラージボール５２の大きさなどに対応してゲート枠２の高さおよび幅を任意に調節することができるので、ゲート枠２を大きくすることにより、高年齢の老人や車椅子の人であっても、一緒にプレーを楽しむことが可能となる。このとき、捕球部材８は、前後の伸縮支持桟４８、４９がゲート枠２の幅に対応して伸縮する。このようにすれば、年齢を問わず誰でも競技を参加してレクリェーション感覚で多いに楽しむことができるものと思われる。      
【００２０】
また、上記シュートゴルフは、ラージボール５２を用いることから、打球音が静かで周囲に迷惑をかけることがないので、ホール数を減らすことにより、部屋の中や屋外の小さなスペース内でも行うことができる。一方、屋外の比較的広い場所で球技を行う場合には、左右両側の支持脚部９，１０の台盤４４，４７をこれの固定孔４４ａ，４７ａにくぎを挿通して地面に打ち込むことにより、ゲート枠２を強固に固定できるので、ゴール装置１から遠く離れた場所からバット調クラブ５３でボール５２を思い切り強く打ってゲート枠２内に入れるようにすることも可能であり、この場合には、ホッケー感覚またはサッカー感覚で爽快な球技として楽しむこともできる。
【００２１】
また、左右両側の支持脚部９，１０は、取付腕４２，４３を介してゲート枠２の左側辺部２２および右側辺部２３に対し回動自在に連結されているので、図６の平面図に示すように、左右両側の支持脚部９，１０をゲート枠２に対し斜め前方に進出する配置とすることができる。この場合には、ゲート枠２を一層強固に支持できるだけでなく、支持脚部９，１０に当たって跳ね返ったラージボール５２がゲート枠２内に転がり込むことによってホールインとするルールを設けることもでき、楽しさが増大するものとなる。
【００２２】
上記球技用ゴール装置１は、各連結パイプ材１７，２０，２４，３１，３２，３３，４０，４１を屈曲パイプ材１３，１４，１８，１９，２９，３０および脚台パイプ材３４，３７からそれぞれ抜脱することにより、小さな個々の部品に分解できるので、これらを収納ケース内に収容して何処へでも携帯することができる。これら各部材は、硬質合成樹脂製パイプまたは鉄製樹脂被覆パイプにより形成することが好ましい。
【００２３】
なお、前記実施形態では、捕球部材８をネット５０により構成した場合を例示したが、可撓性シートなどにより捕球部材８を構成しても、上記実施形態と同様に、ボール５２の転がり力を効果的に吸収してソフト、且つ確実に停止させる効果を得ることができる。また、捕球部材８は、前記実施形態において、ゲート枠２の左右の側辺部２２，２３の上端近傍箇所と左右両側の支持部材３，４の後端近傍箇所との間に掛け渡した場合を例示したが、捕球部材８を、ゲート枠２の上辺部２１の両端箇所と連結部材７の両端箇所との間に掛け渡して配設しても、上記実施形態と同様の効果を得ることができる。
【産業上の利用可能性】
【００２４】
この考案に係る球技用ゴール装置は、例えば、軟質性ボールとベースボール調の簡単なクラブと組み合わせることにより、狭いスペースであっても、このスペース内に適当な配置で複数設置して、それらのゲート枠内にボールを順次打ち込むゴルフまたはグランドゴルフに似たルールで競うようにすることで、年齢を問わず誰もがレクリェーション感覚で楽しめる新規な球技を提供することができる。
【図面の簡単な説明】
【００２５】
【図１】本考案の一実施形態に係る球技用ゴール装置を示す一部分解した斜視図。
【図２】同上の球技用ゴール装置を示す正面図。
【図３】図２のＡ−Ａ線に沿った断面図。
【図４】同上の球技用ゴール装置と組み合わせて球技を行えるラージボールとクラブとを示す斜視図。
【図５】同上の球技用ゴール装置を用いた球技の一例を示す説明図。
【図６】同上の球技用ゴール装置の使用例を示す平面図。
【符号の説明】
【００２６】
２  ゲート枠
３  左側支持部材
４  右側支持部材
８  捕球部材
９  左側支持脚部
１０  右側支持脚部
１３，１４，１８，１９，２９，３０  屈曲パイプ材（大径パイプ材）
１７，２０，２４，３１〜３３，４０，４１  連結パイプ材（小径パイプ材）
２１  上辺部
２２  左側辺部
２３  右側辺部
２７  ねじ部材
【図１】
0003118597.tif 000003
【図２】
0003118597.tif 000004
【図３】
0003118597.tif 000005
【図４】
0003118597.tif 000006
【図５】
0003118597.tif 000007
【図６】
0003118597.tif 000008